(57)【特許請求の範囲】
【請求項１】
本体部を覆うカバー体に設けられた係合部材と、
上記本体部に支持され、被押当部と上記係合部材に係合する係合部とを有し、該係合部と上記係合部材とが係合して上記カバー体を閉塞位置にロックするロック方向及びその反対方向の非ロック方向に移動可能なロックレバーと、
上記ロックレバーにロック方向への移動力を付勢する弾性部材と、
上記本体部に回動自在に支持される主部とその回動支点となる被支持部の一方の側に位置され押圧力を受ける被押圧部と上記主部の上記被支持部を挟んで略反対側に位置され上記ロックレバーの上記被押当部に接する押当部とが一体に形成された回動部材と、
上記本体部に支持されると共に上記回動部材の被押圧部を直接に押圧してこの回動部材を回動させる押圧部を有する操作釦とを備え、
上記操作釦を上記被押圧部に押圧して上記回動部材を一方向へ回動させることにより上記押当部にて上記ロックレバーを非ロック方向に移動させるようにした
ことを特徴とするカバー体のロック機構。
【請求項２】
操作釦は本体部に支持軸を介して支持され、該支持軸が操作釦に一体に形成された
ことを特徴とする請求項１に記載のカバー体のロック機構。
【請求項３】
ロックレバーに作用する弾性部材の弾性力が回動部材の被押圧部を介して操作釦に作用されるようにした
ことを特徴とする請求項１に記載のカバー体のロック機構。
【請求項４】
ロックレバーに作用する弾性部材の弾性力が回動部材の被押圧部を介して操作釦に作用されるようにした
ことを特徴とする請求項２に記載のカバー体のロック機構。
【請求項５】
本体部に設けられた記録部及び／又は再生部と、
上記本体部を覆うカバー体に設けられた係合部材と、
上記本体部に支持され、被押当部と上記係合部材に係合する係合部とを有し、該係合部と上記係合部材とが係合して上記カバー体を閉塞位置にロックするロック方向及びその反対方向の非ロック方向に移動可能なロックレバーと、
上記ロックレバーにロック方向への移動力を付勢する弾性部材と、
上記本体部に回動自在に支持される主部とその回動支点となる被支持部の一方の側に位置され押圧力を受ける被押圧部と上記主部の上記被支持部を挟んで略反対側に位置され上記ロックレバーの上記被押当部に接する押当部とが一体に形成された回動部材と、
上記本体部に支持されると共に上記回動部材の被押圧部を直接に押圧してこの回動部材を回動させる押圧部を有する操作釦とを備え、
上記操作釦を上記被押圧部に押圧して上記回動部材を一方向へ回動させることにより上記押当部にて上記ロックレバーを非ロック方向に移動させるようにした
ことを特徴とするカバー体のロック機構を備えた記録装置及び／又は再生装置。
【発明の詳細な説明】
【０００１】
【発明の属する技術分野】
本発明はカバー体のロック機構に関する。詳しくは、本体部を覆うカバー体を開放する際の、操作性の向上を図る技術に関する。
【０００２】
【従来の技術】
例えば、記録又は再生、或はこれらの双方が為される記録再生媒体、例えば、ＭＤ（ミニディスク）についての記録又は再生、或はこれらの双方を行うＭＤ記録再生装置がある。このようなＭＤ記録再生装置においては、カバー体が閉塞位置から開放位置への回動力が付勢された状態で本体部、即ち、メカシャーシ等を有する部分の一端部、例えば、後端部に開閉自在に支持されたタイプのものがある。
【０００３】
このようなタイプのＭＤ記録再生装置にあっては、従来、本体部の前面にスライド自在に支持された操作摘子と連動してスライドするロックレバーを設け、カバー体にロックレバーの係合部と係合する係合部材を設け、操作摘子を一方向へスライドさせることによりロックレバーの係合部と係合部材との係合を解除してカバー体を開放するようにしている。
【０００４】
【発明が解決しようとする課題】
ところで、上記した従来のＭＤ記録再生装置のうち、特に、携帯型の小型の装置にあっては、装置を把持した状態、例えば、親指を装置の前面に設けられた操作摘子の引掛部に添え、別の指、例えば、人差し指や中指で装置の後面部を押さえた状態で操作摘子をスライドさせてカバー体を開放したい場合がある。
【０００５】
ところが、この場合には装置を把持する方向、即ち、装置に対して指から力がかかる方向が前後方向であるのに対し、操作摘子をスライドさせる方向が装置を把持する方向と直交する方向である左右方向であるため、操作摘子をスライドさせにくく、操作性が悪く不便な面がある。
【０００６】
そこで、本発明カバー体のロック機構及び該機構を備えた記録及び／又は再生装置は、上記した問題点を克服し、本体部を覆うカバー体を開放する際の、操作性の向上を図ることを課題とする。
【０００７】
【課題を解決するための手段】
本発明カバー体のロック機構は、上記した課題を解決するために、本体部を覆うカバー体に設けられた係合部材と、上記本体部に支持され、被押当部と上記係合部材に係合する係合部とを有し、該係合部と上記係合部材とが係合して上記カバー体を閉塞位置にロックするロック方向及びその反対方向の非ロック方向に移動可能なロックレバーと、上記ロックレバーにロック方向への移動力を付勢する弾性部材と、上記本体部に回動自在に支持される主部とその回動支点となる被支持部の一方の側に位置され押圧力を受ける被押圧部と上記主部の上記被支持部を挟んで略反対側に位置され上記ロックレバーの上記被押当部に接する押当部とが一体に形成された回動部材と、上記本体部に支持されると共に上記回動部材の被押圧部を直接に押圧してこの回動部材を回動させる押圧部を有する操作釦とを備え、上記操作釦を上記被押圧部に押圧して上記回動部材を一方向へ回動させることにより上記押当部にて上記ロックレバーを非ロック方向に移動させるようにしたものである。
【０００８】
従って、本発明カバー体のロック機構にあっては、操作釦を押圧してこの操作釦で直接に回動部材を一方向へ回動させることによりロックレバーが非ロック方向に移動されカバー体のロックが解除される。
【０００９】
【発明の実施の形態】
以下に本発明カバー体のロック機構及び該機構を備えた記録及び／又は再生装置の実施の形態を添付図面を参照して説明する。尚、図示した実施の形態は本発明を携帯型のＭＤ（ミニディスク）再生装置におけるカバー体のロック機構に適用したものである。
【００１０】
ＭＤ再生装置１は本体部２とそれを覆うカバー体３とから成り、本体部２はメカシャーシ４、保持部材５、メディアホルダー６、外周フレーム７及び下側カバー８を備えている（図１及び図２参照）。
【００１１】
カバー体３は下方に開口された浅い箱状に形成され、本体部２に後端部を回動支点として回動自在に支持されている。そして、カバー体３は図示しないバネ部材により本体部２に対し開放位置ヘ向けての回動力が付勢されている。
【００１２】
カバー体３はその前端壁３ａに係合部材９が固定され、該係合部材９は左右方向に長い矩形状の被固定部９ａと該被固定部９ａの右端部の下端に連続し正面から見て略Ｌ字状をした係合部９ｂとから成り、被固定部９ａが、例えば、加締によって前端壁３ａの内面の左右方向における中央部に固定されている。そして、係合部９ｂの先端部には略右斜め下方を向く押圧縁９ｃが形成されている（図５参照）。
【００１３】
メカシャーシ４は平板状を為し、ＭＤが装着されるターンテーブルや光学ピックアップ等の所要の部材が配置されている。
【００１４】
保持部材５はメカシャーシ４の外形より一回り大きい枠状に形成され、メカシャーシ４を外側から覆った状態で保持するものである。保持部材５の左右両側部１０、１１の後端部には略前後方向に長い板状の回動アーム１２、１２の後端部が回動自在に支持されており、これにより回動アーム１２、１２はその前端部が略上下方向に移動するように保持部材５に対して回動可能とされている。
【００１５】
保持部材５の前面部１３にはその上縁が前方に直角に折り曲げられることにより折曲縁１４が形成されている（図３参照）。折曲縁１４の基端部の左右方向における中央から稍右方に寄った位置にスリット状の挿通孔１４ａが形成されている。そして、前面部１３の中央部には横長の配置孔１３ａが形成されており、該配置孔１３ａの上縁からは後方に向かって支持片１３ｂが突設されている。また、前面部１３の左端寄りの位置には前方に突出したバネ掛け片１３ｃが形成されている。
【００１６】
保持部材５の前面部１３にはロック機構１５の一部が配置され（図３参照）、該ロック機構１５はロックレバー１６と弾性部材たる引張コイルバネ１７と回動部材１８と上記カバー体３に固定された係合部材９とにより構成される。
【００１７】
ロックレバー１６は左右方向に長い被支持部１９と該被支持部１９の右端部から上方へ突出した係合部２０とを有し、被支持部１９には左右に離間して長孔状の被支持孔２１、２２が形成されている。そして、右側の被支持孔２２は右端部がその余の部分である水平部２２ａに連続して稍右上がりに傾斜された傾斜部２２ｂとして形成されている。
【００１８】
係合部２０は上下方向に延びる垂直部２０ａと、その上縁から左方に向かって突出する係合爪２０ｂとから成り、該係合爪２０ｂはその先端部に左斜め上方を向く被押圧縁２０ｃを有している。
【００１９】
被支持部１９にはその左端の下縁から前方に向かって突出したバネ掛け部２３が形成され、また、左右方向における中央から稍右寄りの位置には前方に向かって突出した被押当部２４が形成されている。
【００２０】
ロックレバー１６は被支持孔２１、２２を前方から挿通した支持ピン２５、２５を介して保持部材５の前面部１３の前面に左右方向にスライド自在に支持され、係合部２０が保持部材５の挿通孔１４ａから上方に突出される。このようにロックレバー１６が前面部１３に支持された状態にあっては、被押当部２４が前面部１３の配置孔１３ａに対応して位置される。そして、前面部１３のバネ掛け片１３ｃとロックレバー１６のバネ掛け部２３との間に引張コイルバネ１７が張設され、これによりロックレバー１６に左方、即ち、係合部２０の係合爪２０ｂとカバー体３に固定された係合部材９の係合部９ｂとが係合する方向（ロック方向）への移動力が付勢される。
【００２１】
回動部材１８は主部２６と押当部２７と被押圧部２８とから成り、主部２６には支持孔２６ａが形成されている。そして、主部２６の外周縁から略前方に向かって押当部２７が突設されている。
【００２２】
被押圧部２８は主部２６の支持孔２６ａを挟んで押当部２７が突設された部分の略反対側の外周縁から下方へ突出するようにして設けられ、その前端縁が直角に折り曲げられ該折り曲げられた部分が被押圧縁２８ａとされる。
【００２３】
しかして、回動部材１８は保持部材５の前面部１３の支持片１３ｂの底面に支持孔２６ａに挿通された支持ピン２９を介して回動自在に支持され、回動部材１８が回動される前の状態にあっては、押当部２７と被押圧部２８とが正面から見て左右に離間するように位置される。そして、このように支持された状態にあっては、押当部２７が配置孔１３ａを挿通され前面部１３の前面から稍突出しロックレバー１６の被押当部２４に左方から当接される。
【００２４】
メディアホルダー６は天板部６ａと該天板部６ａの左右両側縁から下方に突出された側板部６ｂ、６ｂと該側板部６ｂ、６ｂの下縁から互いに近づく方向ヘ稍突出した支持片６ｃ、６ｃとから成り、側板部６ｂ、６ｂが保持部材５に回動自在に支持された上記回動アーム１２、１２に固定され、これにより保持部材５に対して回動可能に支持される（図１及び図２参照）。そして、上記したカバー体３がメディアホルダー６の上面側にこれを覆うように支持され、前方の開口６ｄはカバー体３が開放されたときにＭＤの挿脱を行うための挿脱口とされている。
【００２５】
外周フレーム７は平面で見て後方に開口された略コ字状に形成され、その前面壁３０に後述する操作釦が支持された状態で保持部材５にそれを外側から覆うように取り付けられる（図１及び図２参照）。そして、前面壁３０の中央部には臨ませ孔３０ａが形成されている。また、前面部２９の後面側の中央部はその上縁及び下縁が後方に突出するように垂直断面形状が後方に開口するコ字状に形成され（図４参照）、ここが配置凹部３１として形成されている。さらに、前面壁３０の後面には臨ませ孔３０ａの左右両側でその稍上方に軸受部３２、３３が設けられ、該軸受部３２、３３にはそれぞれ左右方向に延びる支持孔３２ａ、３３ａが形成されている。
【００２６】
操作釦３４は基部３５と操作部３６と押圧部３７と支軸部３８、３９とが一体に形成されて成る（図４参照）。
【００２７】
基部３５はその外形が上記外周フレーム７の前面壁３０に形成された臨ませ孔３０ａより一回り大きい枠状に形成され、操作部３６が基部３５の内周縁から前方に稍突出して形成されている。
【００２８】
操作部３６は正面形状で見て臨ませ孔３０ａと同じ形状を為し、その外形が臨ませ孔３０ａのそれより僅かに小さくされている。
【００２９】
押圧部３７は基部３５の下部から後方に向けて突設されており右半部３７ａが左半部３７ｂより稍後方に突出されている。そして、右半部３７ａの後端面３７ｃが上記回動部材１８の被押圧部２８を押圧する押圧面とされる。
【００３０】
支軸部３８、３９はそれぞれ突設片４０、４１と支持軸４２、４３とから成り、突設片４０、４１はそれぞれ基部３５の上縁の左右両端部から上方に突出されている。そして、突設片４０、４１はその上端部４０ａ、４１ａが左右方向に延びる円柱状の基軸部として形成され、該基軸部４０ａ、４１ａの外端面からそれぞれ外方、即ち、右方及び左方に向かって支持軸４２、４３が突設されている。
【００３１】
支持軸４２、４３はその径が上記外周フレーム７の軸受部３２、３３の支持孔３２ａ、３３ａの径と同じか僅かに小さく、かつ、突設片４０、４１の基軸部４０ａ、４１ａのそれより僅かに小さく形成され、右側の支持軸４２が左側の支持軸４３よりも長く形成されている。そして、左側の支持軸４３の外端面と右側の基軸部４０ａの外端面との間の間隔、即ち図４に示すＬ１は前面壁３０の軸受部３２、３３の内端面間の間隔、即ち、図４に示すＬ２よりも僅かに小さくされている。
【００３２】
しかして、操作釦３４は外周フレーム７に、以下のようにして支持される。
【００３３】
先ず、右側の支持軸４２を右側の軸受部３２の支持孔３２ａにその内側から突設片４０の基軸部４０ａの外端面が軸受部３２の内端面に当接するまで挿入する。そして、このように支持孔３２ａに支持軸４２を挿入した状態においては、上記したように、左側の支持軸４３の外端面と右側の基軸部４０ａの外端面との間の間隔Ｌ１が軸受部３２、３３の内端面間の間隔Ｌ２よりも僅かに小さくされているため、突設片４０、４１の基軸部４０ａ、４１ａと支持軸４３とを軸受部３２の内端面と軸受部３３の内端面との間に位置させることができる。
【００３４】
次に、上記のように基軸部４０ａ、４１ａと支持軸４３とを軸受部３２の内端面と軸受部３３の内端面との間に位置させた状態で、操作釦３４を左方へ移動させ支持軸４３を軸受部３３の支持孔３３ａに基軸部４１ａの外端面が軸受部３３の内端面に当接するまで挿入する。尚、このように支持軸４３を支持孔３３ａに基軸部４１ａの外端面が軸受部３３の内端面に当接するまで挿入しても、右側の支持軸４２が左側の支持軸４３よりも長く形成されているため、支持軸４２が支持孔３２ａから脱落してしまうようなことはない。
【００３５】
上記のように支持軸４２、４３をそれぞれ支持孔３２ａ、３３ａに挿入すると、丁度操作釦３４の操作部３６が外周フレーム７の臨ませ孔３０ａに対応して位置されるようになっており、操作釦３４の操作部３６を後方から押圧すると基部３５の外周縁が臨ませ孔３０ａの内側開口縁に当接され、操作部３６が臨ませ孔３０ａ内に位置される。
【００３６】
このようにして操作釦３４はその下端部が略前後方向に移動するように外周フレーム７に回動自在に支持される。尚、操作釦３４が支持された外周フレーム７が上記保持部材５に取り付けられた状態においては、操作釦３４の押圧部３７の押圧面３７ｃが上記回動部材１８の被押圧縁２８ａの前面に当接又は近接した状態で位置される。
【００３７】
上記したように、操作釦３４の支持軸４２、４３の長さを変えることにより、簡単に操作釦３４を外周フレーム７に支持させることができ、これにより作業能率の向上を図ることができる。
【００３８】
また、支持軸４２、４３は操作釦３４に一体に形成されているため、別部材である支持軸を用いて操作釦３４を外周フレーム７に支持させる必要がなく、部品点数の削減を図ることができコストの低減に寄与する。
【００３９】
以下に、カバー体３を開放するときのロック機構１５の動作について説明する（図５乃至図９参照）。
【００４０】
カバー体３が閉塞された状態においては、ロックレバー１６が引張コイルバネ１７によって左方、即ち、ロック方向に移動され、ロックレバー１６の係合爪２０ｂがカバー体３に固定された係合部材９の係合部９ｂに係合されている（図５参照）。そして、この状態では、支持ピン２５、２５がそれぞれロックレバー１６の被支持孔２１、２２の右端に位置され、また回動部材１８は、上記したように、押当部２７がロックレバー１６の被押当部２４に左方から当接し、被押圧部２８の被押圧縁２８ａが操作釦３４の押圧部３７の押圧面３７ｃに当接又は近接して位置されている（図６参照）。
【００４１】
上記のようにカバー体３が閉塞された状態で、前方から操作釦３４を押圧する。操作釦３４を押圧すると該操作釦３４の下端部が略後方へ移動するように外周フレーム７に対して回動され、操作釦３４の押圧部３７が回動部材１８の被押圧縁２８ａを押圧し、回動部材１８が平面で見て反時計回り方向に回動される（図８参照）。
【００４２】
回動部材１８が平面で見て反時計回り方向に回動されると押当部２７がロックレバー１６の被押当部２４を右方、即ち、非ロック方向に押圧し、これによりロックレバー１６が引張コイルバネ１７のばね力に抗して非ロック方向に移動される（図７及び図８参照）。そして、ロックレバー１６の非ロック方向への移動により、ロックレバー１６の係合爪２０ｂと係合部材９の係合部９ｂとの係合が解除され、上記したようにカバー体３が本体部２に対し開放位置ヘ向けての回動力が付勢されているため、カバー体３が回動して開放される（図７参照）。
【００４３】
このように、カバー体３の開放は操作釦３４をその正面側から押圧するだけでよく、操作が極めて簡単である。特に、携帯用の小型の装置においては、例えば、装置を把持した状態でＭＤの挿脱を行いたい場合等があるが、このような場合でも当該装置を一本の指を操作釦３４に添えた状態で前後方向から把持したときに、操作釦３４に添えた指で操作部３６を後方、即ち、把持した方向の内の一方向に押圧するだけでカバー体３が開放され、操作性がよく極めて便利である。
【００４４】
尚、カバー体３が開放された後に操作釦３４の操作部３６に対する押圧を解除すると、ロックレバー１６は引張コイルバネ１７のばね力によってロック方向へ移動され元の位置へ戻る。即ち、ロックレバー１６は左方の移動端に位置され、支持ピン２５、２５がそれぞれロックレバー１６の被支持孔２１、２２の右端に位置される（図９参照）。そして、ロックレバー１６がロック方向に移動されるときには、その被押当部２４が回動部材１８の押当部２７と当接されているため、回動部材１８が平面で見て時計回り方向に回動される。また、回動部材１８が回動されるとその被押圧縁２８ａが操作釦３４の押圧面３７ｃと当接しているため、操作釦３４はその下端部が前方に移動するようにして回動され元の位置、即ち、基部３５の前面が臨ませ孔３０ａの内側開口縁に当接され、操作部３６が臨ませ孔３０ａ内に位置される。
【００４５】
このように、被押当部２４と押当部２７とが当接し、かつ、被押圧縁２８ａと押圧面３７ｃとが当接しているため、操作釦３４の操作部３６ヘの押圧を解除すると、操作釦３４が引張コイルバネ１７のばね力によってロックレバー１６及び回動部材１８を介して元の位置に戻るようになっている。
【００４６】
従って、操作釦３４を操作部３６が押圧される前の元の位置に戻すために、別部材として、例えば、操作釦３４の後面に弾接する戻しばねを設ける必要がなく、部品点数の削減を図ることができＭＤ再生装置の製造コストの低減に寄与する。
【００４７】
次に、カバー体３を閉塞するときのロック機構１５の動作について説明する（図１０及び図１１参照）。
【００４８】
カバー体３が開放された状態から該カバー体３を下方に押圧して回動させると、係合部材９の押圧縁９ｃがロックレバー１６の被押圧縁２０ｃに当接する（図１０参照）。さらにカバー体３を下方に押圧すると、被押圧縁２０ｃと押圧縁９ｃとが摺接し、引張コイルバネ１７のばね力に抗してロックレバー１６が非ロック方向に移動していく。
【００４９】
そして、カバー体３の回動により、係合爪２０ｂの先端と係合部９ｂの先端とが当接し（図１１参照）、さらにカバー体３を押圧すると被押圧縁２０ｃと押圧縁９ｃとの摺接が解除され、引張コイルバネ１７のばね力によりロックレバー１６がロック方向へ移動されて係合部９ｂが係合爪２０ｂの下方に位置した状態でこれらの両者が係合する（図５参照）。
【００５０】
尚、係合部９ｂと係合爪２０ｂとが係合した状態にあっては、右側の支持ピン２５がロックレバー１６の被支持孔２２の右端、即ち、水平部２２ａの右端から右斜め上方に延びる傾斜部２２ｂに位置されている（図５参照）。従って、ロックレバー１６は稍右下がりの状態とされており、これにより係合部２０の係合爪２０ｂから係合部材９の係合部９ｂに対して上方からの押圧力が作用する。
【００５１】
このように係合爪２０ｂが係合部９ｂに対して上方から押圧した状態で係合されるため、係合爪２０ｂと係合部９ｂとの係合が確実に為される。
【００５２】
また、通常、ＭＤ再生装置にあっては、設計段階において、ロックレバー１６がロック方向へ移動するときにその係合爪２０ｂを係合部材９の係合部９ｂの上側に確実に位置させるために、係合爪２０ｂの下縁と係合部９ｂの上縁との間に若干のクリアランスを設けており、このクリアランス分カバー体３と本体部２との間に隙間が生じることになる。
【００５３】
ところが、ＭＤ再生装置１にあっては、上記したようにロックスライダー１６の被支持孔２２に傾斜部２２ｂを形成してロックレバー１６が左方の移動端に位置したときに稍右下がりの状態となるようにし、上記したクリアランスにより生じるカバー体３と本体部２との間に生じる隙間をロック状態ではゼロになるようにしている。
【００５４】
従って、カバー体３と本体部２との間にがたつきが生じるようなことがなく、カバー体３はその周縁が本体部２の周縁と密着した状態で閉塞される。
【００５５】
【発明の効果】
以上に記載したところから明らかなように、本発明カバー体のロック機構及び該機構を備えた記録及び／又は再生装置は、本体部を覆うカバー体に設けられた係合部材と、上記本体部に支持され、被押当部と上記係合部材に係合する係合部とを有し、該係合部と上記係合部材とが係合して上記カバー体を閉塞位置にロックするロック方向及びその反対方向の非ロック方向に移動可能なロックレバーと、上記ロックレバーにロック方向への移動力を付勢する弾性部材と、上記本体部に回動自在に支持される主部とその回動支点となる被支持部の一方の側に位置され押圧力を受ける被押圧部と上記主部の上記被支持部を挟んで略反対側に位置され上記ロックレバーの上記被押当部に接する押当部とが一体に形成された回動部材と、上記本体部に支持されると共に上記回動部材の被押圧部を直接に押圧してこの回動部材を回動させる押圧部を有する操作釦とを備え、上記操作釦を上記被押圧部に押圧して上記回動部材を一方向へ回動させることにより上記押当部にて上記ロックレバーを非ロック方向に移動させるようにしたので、上記カバー体の開放は上記操作釦をその正面側から押圧するだけでよく、操作が極めて簡単である。
【００５６】
特に、本発明のロック機構が設けられた携帯用の小型の装置において、例えば、装置を把持した状態でカバー体を開放したい場合等に、一本の指を操作釦に添えた状態で操作釦が設けられた面とその反対側の面とから装置を把持したときに、操作釦に添えた指で該操作釦を把持した方向の内の一方向に押圧するだけでカバー体が開放され、操作性がよく極めて便利である。
【００５７】
請求項２に記載した発明にあっては、操作釦が本体部に支持軸を介して支持され、該支持軸が操作釦に一体に形成されたので、別部材である支持軸を用いて操作釦を本体部に支持させる必要がなく、部品点数の削減を図ることができコストの低減に寄与する。
【００５８】
請求項３及び請求項４に記載した発明にあっては、ロックレバーに作用する弾性力が回動部材の被押圧部を介して操作釦に作用されるようにしたので、操作釦が押圧された後に押圧される前の元の位置に戻すために、別部材として、例えば、操作釦に弾接する戻しばねを設ける必要がなく、部品点数の削減を図ることができ製造コストの低減に寄与する。
【００５９】
尚、上記した実施の形態において示した各部の具体的な形状及び構造は、何れも本発明を実施するに際しての具体化のほんの一例を示したものにすぎず、これらによって本発明の技術的範囲が限定的に解釈されることがあってはならないものである。
【図面の簡単な説明】
【図１】  図２乃至図１１と共に本発明カバー体のロック機構及び該機構を備えた記録及び／又は再生装置の実施の形態を示すものであり、本図は本発明を適用したＭＤ再生装置の斜視図である。
【図２】  ＭＤ再生装置の概略分解斜視図である。
【図３】  要部の拡大分解斜視図である。
【図４】  操作釦を外周フレームから取り外した状態を示す拡大斜視図である。
【図５】  図６乃至図１１と共にロック機構の動作を示すものであり、本図はカバー体が閉塞されロックされた状態を示す要部の拡大正面図である。
【図６】  カバー体が閉塞されロックされた状態を示す要部の拡大平面図である。
【図７】  ロックが解除されカバー体が開放された状態を示す要部の拡大正面図である。
【図８】  ロックが解除されカバー体が開放された状態を示す要部の拡大平面図である。
【図９】  カバー体が開放された状態で操作釦の操作部への押圧を解除した状態を示す要部の拡大正面図である。
【図１０】  図１１と共にカバー体を閉塞する過程を示すものであり、本図はカバー体が回動され係合部材とロックレバーの係合部が当接した状態を示す要部の拡大正面図である。
【図１１】  カバー体がさらに回動され係合部材の先端と係合部の先端とが接した状態を示す要部の拡大正面図である。
【符号の説明】
１…ＭＤ再生装置（再生装置）、２…本体部、３…カバー体、９…係合部材、１５…ロック機構、１６…ロックレバー、１７…引張コイルバネ（弾性部材）、１８…回動部材、２０…係合部、２４…被押当部、２７…押当部、２８…被押圧部、３４…操作釦、３７…押圧部、４２…支持軸、４３…支持軸
【図１】
0004016456.tif 000002
【図２】
0004016456.tif 000003
【図３】
0004016456.tif 000004
【図４】
0004016456.tif 000005
【図５】
0004016456.tif 000006
【図６】
0004016456.tif 000007
【図７】
0004016456.tif 000008
【図８】
0004016456.tif 000009
【図９】
0004016456.tif 000010
【図１０】
0004016456.tif 000011
【図１１】
0004016456.tif 000012